(57)【特許請求の範囲】
【請求項１】
台座に立設された中空管である固定支柱と、
前記固定支柱の中空部に内嵌された可動支柱と、
前記固定支柱の側面に固定された第１滑車及び第２滑車と、
第１線材を捲回する捲回手段と、
内部が複数の空間部に画設されている中空部材及び前記中空部材の周囲に密着渦巻状に捲装されている板状の定荷重付勢手段とを有し、前記台座内に設けられている定荷重付勢体と、
前記台座内に枢軸を中心として回動自在であり、かつ、前記枢軸が上下方向に移動可能に軸支されているとともに、前記中空部材の回動軸と直交する方向に前記枢軸が位置するように設けられている第３滑車とを備え、
前記第１線材が前記第３滑車及び前記第２滑車を介して前記可動支柱を支持し、かつ、前記定荷重付勢手段と結合した第２線材が前記第１滑車を介して前記可動支柱を支持している伸縮支柱であって、
さらに、前記枢軸を下方に付勢する付勢手段と、
前記中空部材の方向に向かう突出部及び前記中空部材の方向に向かう上向きの斜溝を有し、前記突出部が前記中空部材に対峙する位置に設けられているとともに、前記斜溝の内に挿設されている前記第３滑車の枢軸により水平方向の移動に変えさせられるスライダと、
前記枢軸を支持し、前記スライダが中空間部に挿入される前記台座内部に設けられた支持枠とを備え、
前記第１線材の切断時において、前記枢軸の下方への移動に伴い、前記斜溝の作用によって前記スライダが前記中空部材の方向に移動し、前記突出部が前記中空部材の前記空間部に突出することにより、前記中空部材の回動を停止させることを特徴とする伸縮支柱。
【発明の詳細な説明】
【０００１】
【発明の属する技術分野】
本発明は、高さ調整可能な伸縮支柱のワイヤ断線時における伸縮支柱の落下防止装置に関する。
【０００２】
【従来の技術】
従来の高さ調整が可能な伸縮支柱は、支柱の上端に照明灯やスピーカーなどを設け、使用時に所定の高さに調整して利用できるものが存在している。このような伸縮支柱には、何かの影響でワイヤが断線したときの支柱の落下を防止する落下防止装置が備えられている。
【０００３】
従来の伸縮支柱は図６に示すように、台座等（図示せず）に立設された中空管である固定支柱６０と、この固定支柱６０の内に内嵌された中空管である可動支柱６１を備えている。この可動支柱６１には突出部分６５が挿入可能な挿入孔７０が上方から下方まで所定の間隔で多数設けられている。また、固定支柱６０の側面には、ウィンチＷ６が設けられていて、このウィンチＷ６のハンドルＨ６を回し、ワイヤ６８を巻き上げ及び繰り出すことで、可動支柱６１を昇降させて所定の高さに調整することができるようになっている。
【０００４】
また、ウィンチＷ６の上方には可動支柱６１の落下防止装置が設けられている。この落下防止装置は、支持部材６３、軸６２、ストッパ６４、ばね６７から構成されており、固定支柱６０の両端に固定された支持部材６３があり、この支持部材６３の端部には軸６２が備えられ、その軸６２を中心に回動自在に支持されたストッパ６４と、このストッパ６４の上端には（図６の上方）突出部分６５が形成され、この突出部分６５と軸６２の間に滑車６６が備えられている。
【０００５】
さらに、突出部分６５を固定支柱６０方向に引き付ける付勢力を持つばね６７の一端がストッパ６４の滑車６６の近傍に固定され、ばね６７の他端は、固定支柱６０の外壁に固定されている。また、ウィンチＷ６に巻着されたワイヤ６８は、ストッパ６４の滑車６６等を介して第１可動支柱６１の下端部に固定されている。さらに、ストッパ６４の突出部分６５は軸６２を支点として挿入孔７０に挿入可能である。
そして、ワイヤ６８の切れていない通常時において突出部分６５は、ワイヤ６８の引張力がばね６７の付勢力より強く、ワイヤ６８の引張力によって可動支柱６１から引き離されている。
【０００６】
前記構成の従来の伸縮支柱では、可動支柱６１の昇降中又は伸長して停止しているときに、ワイヤ６８の劣化や腐食等が原因で断線すると、ストッパ６４に設けられたばね６７によって突出部分６５が固定支柱６０側に引き付けられ挿入孔７０に挿入する。
その結果、可動支柱６１の落下が停止され、支柱の上端に固定した装置の落下を防止することで、作業員の安全確保と照明灯等の装置の損傷を防止できるものである。
【０００７】
【発明が解決しようとする課題】
しかし、従来の伸縮支柱の落下防止装置では以下の問題が存在していた。突出部分６５が可動支柱６１に設けた挿入孔７０に挿入して可動支柱６１の落下を停止させるため、ワイヤ６８がどの位置で切れた場合でも、落下を停止するために可動支柱６１の上方から下方にかけて多数の挿入孔７０が必要であった。また、多数の挿入孔７０によって伸縮支柱の強度が弱くなり、さらに、製造工程においても加工数が多くなるという問題があった。
【０００８】
そこで、本発明は、このような問題を解決するためになされたものであり、支柱の落下を確実に防止することができ、可動支柱の強度を維持するとともに、製造工程の加工数を低減することができる伸縮支柱を提供することを課題とする。
【０００９】
【課題を解決するための手段】
本発明は、前記課題を解決すべく構成されるものであり、台座に立設された中空管である固定支柱と、前記固定支柱の中空部に内嵌された可動支柱と、前記固定支柱の側面に固定された第１滑車及び第２滑車と、第１線材を捲回する捲回手段と、内部が複数の空間部に画設されている中空部材及び前記中空部材の周囲に密着渦巻状に捲装されている板状の定荷重付勢手段とを有し、前記台座内に設けられている定荷重付勢体と、前記台座内に枢軸を中心として回動自在であり、かつ、前記枢軸が上下方向に移動可能に軸支されているとともに、前記中空部材の回動軸と直交する方向に前記枢軸が位置するように設けられている第３滑車とを備え、前記第１線材が前記第３滑車及び前記第２滑車を介して前記可動支柱を支持し、かつ、前記定荷重付勢手段と結合した第２線材が前記第１滑車を介して前記可動支柱を支持している伸縮支柱であって、さらに、前記枢軸を下方に付勢する付勢手段と、前記中空部材の方向に向かう突出部及び前記中空部材の方向に向かう上向きの斜溝を有し、前記突出部が前記中空部材に対峙する位置に設けられているとともに、前記斜溝の内に挿設されている前記第３滑車の枢軸により水平方向の移動に変えさせられるスライダと、前記枢軸を支持し、前記スライダが中空間部に挿入される前記台座内部に設けられた支持枠とを備え、前記第１線材の切断時において、前記枢軸の下方への移動に伴い、前記斜溝の作用によって前記スライダが前記中空部材の方向に移動し、前記突出部が前記中空部材の前記空間部に突出することにより、前記中空部材の回動を停止させることを特徴とする伸縮支柱。
【００１０】
ここで、定荷重付勢手段とは、伸縮量が増加又は減少しても常に一定の引張力を発生する付勢手段であり、密着渦巻状に中空部材に捲装された板状の定荷重ばねを利用することが好ましい。
【００１１】
また、捲回手段の構成は限定されるものではなく、駆動方式も手動や電動など限定されるものではないが、線材を巻着する円筒状のドラムを有し、このドラムが回転することによって、小さな空間でワイヤを効率よく巻き込み又は繰り出しするドラム式ウィンチを用いることが好ましい。
【００１２】
また、スライダは、定荷重付勢手段の中空部材の面に対峙しており、このスライダの形状は突出部を有し、突出部が中空部材の空間部に突出することにより回転を止めることができるものであれば特に限定するものではない。また、スライダには、斜溝が設けられているが斜溝の傾きは特に限定されるものではなく、枢軸が下方に移動した際に突出部が中空部材に進入し、回転を停止させることができる傾きがあればよい。
【００１３】
この発明によれば、前記伸縮支柱の第１線材が腐食や劣化によって断線したときには、第３滑車が付勢手段によって下方に引き付けられ、第３滑車の枢軸は下方に移動することでスライダは斜溝によって、中空部材に挿入するよう移動する。これより、スライダが定荷重付勢手段の回転を制止し、定荷重付勢手段と結合している第２線材によって可動支柱の落下を防止できる。
【００１４】
さらに、この発明によれば、可動支柱に多数の孔等の加工をする必要がないため、可動支柱の強度も維持でき、製造工程の加工数も減少させることができる。
【００１５】
【発明の実施の形態】
以下、図面を参照しながら本発明の実施形態について詳細に説明する。
【００１６】
本発明の実施形態に係る伸縮支柱は、支柱の上端に固定された照明灯やスピーカー等の各種装置の高さ調節が可能なものであり、この実施形態では、支柱の上端に照明灯を固定し、工事現場の夜間照明となる投光機に利用した場合を例として説明する。
【００１７】
図１（ａ）は、本発明の実施形態にかかる伸縮支柱を示した図で、（ａ）は側断面図、（ｂ）は正面断面図である。図２は、本発明の実施形態に係る伸縮支柱の台座内部を拡大した正面断面図である。図３は、第２可動支柱まで伸びた伸縮支柱の正面断面図である。図４（ａ）は、本発明の作用を示す模式図であり、第１ワイヤの断線前を示し、（ｂ）は、Ａ−Ａ断面図である。図５（ａ）は、本発明の作用を示す模式図であり、第１ワイヤの断線後を示し、（ｂ）は、Ｂ−Ｂ断面図である。図６は従来の伸縮支柱を示す一部破断した側面図である。
【００１８】
まず、本発明の実施の形態に係る伸縮支柱を用いた投光機の構成について説明する。なお、図１（ｂ）に示す面を正面とする。
伸縮支柱１は、図１に示すように、台座９の上に立設された四角筒状の固定支柱２と、この固定支柱２の中空部に内嵌された四角筒状の第１可動支柱３と、この第１可動支柱３の中空部に内嵌された四角筒状の第２可動支柱４と、この第２可動支柱４の上端に設けられた照明灯（図示せず）と、固定支柱２の左側面に固定された第１滑車Ｐ１と第２滑車Ｐ２と、固定支柱２の正面の壁面に作業員が使用可能な高さに固定されたウィンチＷ（捲回手段）と、台座９内部に設置された第３滑車Ｐ３と、第１滑車Ｐ１の下方となる台座９内部に設置された２個の定荷重ばね１０、１０（定荷重付勢手段）と、この定荷重ばね１０、１０の正面に直交方向になるようにして、支軸方向が配置された第３滑車Ｐ３が設けられている。なお、伸縮支柱１の外部に露出した各滑車Ｐ１、Ｐ２及び各ワイヤＲ１、Ｒ２などを覆い、操作時の危険を防止するカバー部８を備えている。
【００１９】
前記ウィンチＷに巻着された第１ワイヤＲ１が第３滑車Ｐ３及び第２滑車Ｐ２を介して第１可動支柱３を支持し、また、２個の定荷重ばね１０と第２ワイヤＲ２が第１可動支柱３を支持しており、ウィンチＷの引張力及び２個の定荷重ばね１０、１０の下向きの付勢力によって各ワイヤＲ１、Ｒ２に引張力を加えることで、第１可動支柱３を固定支柱２に沿って上昇させるものである。
【００２０】
さらに、伸縮支柱１は落下防止装置を備えており、この落下防止装置は、図２に示すように、コイルばね１１（付勢手段）と、支持枠１２と、この支持枠１２の中空間部に挿入されたスライダ１３と、２つの定荷重ばね１０と、第３滑車Ｐ３を備え、第３滑車Ｐ３を支持する支軸１４は前記定荷重ばね１０のドラム１０ｃ（中空部材）の回動軸１０ａ方向と直交して配置されている。
【００２１】
次に、各構成要素について詳細に説明する。固定支柱２は、図１に示すように、左側面に長孔１５を備え、この長孔１５の上部の壁面には第１滑車Ｐ１及び第２滑車Ｐ２が固定されている。第１可動支柱３は、図１に示すように固定支柱２の中空部に昇降可能に内嵌さており、左側面の下端部に支持部材５が固設されている。この支持部材５は、水平面から下方に向けて垂直面が形成されたＬ字型のプレート部材であり、垂直面が第１可動支柱３の壁面に固定され、第１可動支柱３を固定支柱２に内嵌した際には、水平面が固定支柱２の長孔１５から突出した状態で、この長孔１５に沿って移動可能となっている。また、第１可動支柱３の中空部における底面の中心から上方に補助支柱６が突出しており、この補助支柱６の上端には第４滑車Ｐ４が固定されている。第２可動支柱４は、図１に示すように、第１可動支柱３の補助支柱６に外嵌した状態で、第１可動支柱３の中空部に移動可能に内嵌されている。
【００２２】
ウィンチＷは、図１に示すように、第１ワイヤＲ１を巻着する円筒状のドラムＤを有し、このドラムＤの側面に設けられたハンドルＷ１を手動で回転させることによって、小さな空間で第１ワイヤＲ１を効率良く巻き込み又は繰り出しするドラム式ウィンチである。
定荷重ばね１０は、図１、図２に示すように、密着渦巻状に捲装された板状のばねであり、伸びが増加しても常に一定の付勢力を発生する。この定荷重ばね１０は、台座９内部で正面に対して回動軸１０ａ方向が直交するように回動自在に軸支されている円筒状のドラム１０ｃに巻着されており、一端をドラム１０ｃ（中空部材）から上方に引き出すことができるものであり、台座９内部に回動軸１０ａの方向が平行になるようにして並列配置されている。
また、ドラム１０ｃには回動軸１０ａを中心として仕切板１０ｂにより放射線状に区画されており、中空部が形成されている。なお、この実施形態では、上方に引き出された２個の定荷重ばね１０、１０の端部を結合板７に固定することで結合し、さらに結合板７に第２ワイヤＲ２を結合している。
【００２３】
第３滑車Ｐ３を支持している支軸１４は、図２に示すように、長手方向の両端が台座９内部に支持されており、支軸１４の一端は左側のドラム１０ｃ（中空部材）の正面に設けられた支持枠１２によって支持され、この支持枠１２の中空部には、スライダ１３が水平方向に移動可能に挿入されている。また、この支持枠１２には、支軸１４を上下方向に移動可能にする鉛直方向のガイド溝１２ａが設けられている（図４、図５参照）。スライダ１３は、図４に示すように、支軸１４の上下方向の移動をスライダ１３の水平方向の移動に変換する傾斜溝１３ａを壁面に備え、この傾斜溝１３ａは、ドラム１０ｃ側を上端として、斜め下に約４５°傾斜している。これによって、第３滑車Ｐ３の支軸１４の上下方向の移動がスライダ１３の水平方向の移動に変換される。また、スライダ１３のドラム１０ｃ側には、仕切板１０ｂによって区切られたドラム１０ｃの中空部に挿入可能な突出部１３ｂが形成されている。コイルばね１１は、コイル状に巻かれたばねで、図２に示すように、コイルばね１１の一端は支軸１４に固定され、他端は、台座９内部の最下端部に固定されている。
【００２４】
次に、本発明の実施の形態に係る伸縮支柱における各ワイヤＲ１、Ｒ２、Ｒ３（線材）について、図１、図５を参照して説明する。
第１ワイヤＲ１は、一端がウィンチＷのドラムＤに巻着され、他端は第３滑車Ｐ３及び第２滑車Ｐ２を介して第１可動支柱３の支持部材５に固定されることで、第１可動支柱３を支持している。
第２ワイヤＲ２は、一端が結合板７に結合されることで定荷重ばね１０と結合し、他端は第１滑車Ｐ１を介して第１可動支柱３の支持部材５に固定されることで、第１可動支柱３を支持している。
第３ワイヤＲ３は、一端が台座９内部に固定され、他端は第２可動支柱４内で補助支柱６の第４滑車Ｐ４を介して、第２可動支柱４の底面に固定されることで、第２可動支柱４を支持している。
なお、各ワイヤＲ１、Ｒ２、Ｒ３の形状、材料及び太さは限定されるものではない。さらに固定方法も限定されるものではないが、ボルト等によって確実に固定する必要がある。
【００２５】
ここで、本発明の伸縮支柱１は、第２ワイヤＲ２に可動支柱の荷重の半分以上の部分（例えば、７割から８割）を分担させ、第１ワイヤＲ１に残りの荷重を分担させている。これにより、第１可動支柱３が静止した際に、この第１可動支柱３は下降しようとするが、ウィンチＷに巻着された第１ワイヤＲ１の支持力によって第１可動支柱３の下降が制止される。また、第１可動支柱３の荷重をウィンチＷと定荷重ばね１０、１０によって分担して支持し、引張力によって上昇させるために、ウィンチＷが負担する引張力が低減され、小さな力で第１可動支柱３を上昇させることができる。
また、本発明の伸縮支柱１におけるウィンチＷは、力を補助するものであるとともに、第１可動支柱３を安定した状態で静止させる役割を果たすものである。
【００２６】
次に、本発明の実施形態に係る伸縮支柱１の作用について説明する。
まず、図１は、第１可動支柱３及び第２可動支柱４を固定支柱２の中空部に収納した状態、すなわち、伸縮支柱１を収縮した状態である。さらに、第２可動支柱４は、第１可動支柱３の補助支柱６に外嵌した状態で、第１可動支柱３の底面まで挿入される。このとき、２個の定荷重ばね１０の一端は、第１滑車Ｐ１の近傍までドラム１０ｃから上方に引き出された状態となっている。
【００２７】
次に、図１、図３に示すように、ウィンチＷのハンドルＷ１を手動で回転させ、第１ワイヤＲ１をドラムＤに巻き取る。第１ワイヤＲ１はドラムＤから第３滑車Ｐ３及び第２滑車Ｐ２を介して第１可動支柱３の支持部材５に固定されており、第１ワイヤＲ１が巻き取られることで、支持部材５が固定支柱２の長孔１５に沿って引き上げられるため、第１可動支柱３と、第１可動支柱３に内嵌された第２可動支柱４とが固定支柱２に沿って上昇する。このとき、第１可動支柱３の支持部材５には第２ワイヤＲ２も固定されており、第２ワイヤＲ２は第１滑車Ｐ１を介して定荷重ばね１０、１０と結合しているため、定荷重ばね１０、１０の下向きの付勢力が第１可動支柱３及び第２可動支柱４の引き上げ力として作用する。ここで、定荷重ばね１０、１０による引張力は第１可動支柱３及び第２可動支柱４の全荷重の５割以上に設定してあるため、第１ワイヤＲ１を巻き取るウィンチＷが負担する引張力は小さくなり、減速比の小さいウィンチＷであっても、小さな力でウィンチＷのハンドルＷ１を回転させて第１可動支柱３及び第２可動支柱４を上昇させることができる。
【００２８】
また、図３に示すように、第１可動支柱３の上昇に伴って、第１可動支柱３に内嵌された第２可動支柱４も上昇する。このとき、第２可動支柱４を支持している第３ワイヤＲ３は第２可動支柱４の底面に固定されており、補助支柱６の上端に固定された第４滑車Ｐ４を介して台座９内部に固定されていることから、第３ワイヤＲ３によって第２可動支柱４に引き上げ力が作用し、第２可動支柱４は第１可動支柱３の補助支柱６に沿って上昇する。すなわち、この実施形態に係る伸縮支柱１では、第１可動支柱３が固定支柱２の底面から固定支柱２の側面の長孔１５の上部に固定された第１滑車Ｐ１又は第２滑車Ｐ２までの距離を移動する段階と、第２可動支柱４が第１可動支柱３の底面から補助支柱６の上端に固定された第４滑車Ｐ４までの距離を移動する段階との２段階で同時に伸縮するものであり、各支柱２、３、４の内部空間を有効に利用して伸縮量を大きく確保している。
【００２９】
次に、第２可動支柱４の上端に固定した照明灯（図示せず）を所定の高さまで上昇させ、ウィンチＷの回転を停止して伸縮支柱１の伸長を停止する。このとき、第２ワイヤＲ２が結合している定荷重ばね１０、１０の下向きの付勢力は第１可動支柱３及び第２可動支柱４の全荷重よりも小さいので、第１可動支柱３及び第２可動支柱４は下降しようとする。しかし、第１可動支柱３を支持している第１ワイヤＲ１は、ウィンチＷのドラムＤに巻着していることから、第１ワイヤＲ１の支持力によって第１可動支柱３の下降が制止され、第１可動支柱３及び第２可動支柱４は安定した状態で静止するため、高さ調節した前記照明灯が工事現場の振動等によって移動してしまうことを確実に防止している。
【００３０】
次に、伸縮支柱１を収縮する際には、図１に示すように、ウィンチＷのハンドルＷ１を回転させて前記ドラムＤから第１ワイヤＲ１を繰り出すことで、第１ワイヤＲ１の支持力がなくなり、第１可動支柱３は下降して固定支柱２の中空部に収納される。また、第１可動支柱３の下降に伴って、第３ワイヤＲ３の支持力もなくなり、第２可動支柱４が下降して第１可動支柱３の中空部に収納されるため、伸縮支柱１は収縮した状態となる。なお、第１可動支柱３及び第２可動支柱４は、自重によって下降するため、前記ドラムＤから第１ワイヤＲ１を繰り出す際に、ウィンチＷのハンドルＷ１を非常に小さな力で回転させることができる。
【００３１】
前記図３に示したように、伸縮支柱１が上昇中又は所定の高さになったとき、図４（ａ）に示すように、支軸１４は、第１ワイヤＲ１によってガイド溝１２ａ及び傾斜溝１３ａも上端に位置している。支軸１４が傾斜溝１３ａの上端に位置しているということは、スライダ１３の突出部１３ｂが放射線状に設けられた仕切板１０ｂから離れた位置にある。また、支軸１４を下方向に付勢するコイルばね１１は、第１ワイヤＲ１の引張力が強いので伸びた状態で引張力を維持している。
【００３２】
このような状態において、第１ワイヤＲ１が腐食や劣化などの原因で断線すると、図５（ａ）に示すように、第１ワイヤＲ１の引張力がなくなり第３滑車Ｐ３の支軸１４は、コイルばね１１によって支軸１４が下方に引き付けられ、ガイド溝１２ａに沿って下方に移動する。
さらに、支軸１４の下方向の移動にともない傾斜溝１３ａの作用によりスライダ１３がドラム１０ｃの側に移動する。
そして、支軸１４がガイド溝１２ａ及び傾斜溝１３ａの最下端部に達したときには、突出部分１３ｂはドラム１０ｃの放射線状に設けられた仕切板１０ｂの間に挿入され、定荷重ばね１０の回転を停止させ第２ワイヤＲ２によって第１可動支柱３の落下を防止する。
【００３３】
なお、第１ワイヤＲ１以外の第２ワイヤＲ２又は第３ワイヤＲ３が切断された場合についてであるが、まず、第２ワイヤＲ２が切れた場合において、ウィンチＷをロックすることによって第１ワイヤＲ１の繰り出しを止め、第１可動支柱３の落下を防止できる。第１可動支柱３の落下を防止することによって第３ワイヤＲ３の引張力を保持することができ、第２可動支柱４の落下も同時に防止できる。
【００３４】
また、第３ワイヤＲ３が切れた場合は、第２可動支柱４は第１可動支柱３の内部まで下降するが、第１可動支柱３は定荷重ばね１０とウィンチＷの引張力によって支えられるため、第１可動支柱３が伸びた高さより下に落ちることがない。
【００３５】
以上より、各ワイヤＲ１からＲ３が断線しても、伸縮支柱１の下で作業を行う作業員の安全確保や第２可動支柱４の上部に載せられた照明灯やスピーカー等の損傷を防止できる。特に、第１ワイヤＲ１が切断したときには、伸縮支柱１に備えられた落下防止装置によって、第１可動支柱３の落下を防止できる。
【００３６】
以上、本発明の実施の形態について説明したが、本発明は実施の形態に限定されるものではない。本発明の構成中において用いたワイヤの形状及び材質等は特に限定するものではなく、伸縮支柱１を昇降させることが可能なものであれば同様の効果を得ることができる。
【００３７】
また、第３滑車Ｐ３の支軸１４上のコイルばね１１の配置は図２に示される配置に特に限定されるものではなく、支軸１４を下方に付勢することができればどの位置に配置してもかまわない。また、コイルばね１１を用いる本数は、１本でも複数でもかまわず、下方に付勢する引張力があれば同様の効果を得ることができる。
さらに、本発明の実施の形態において第３滑車Ｐ３を下方に付勢する手段としてコイルばねを用いたが、このコイルばねに限定されるものではなく、例えば、おもりで下方に付勢する手段としてもよい。ただし、おもりは、第１ワイヤＲ１の引張力より軽いものとし、第１ワイヤＲ１が断線したときには、第３滑車Ｐ３を下方に引き下げることができる必要がある。
【００３８】
また、本発明の実施の形態では、定荷重ばね１０のドラム１０ｃの回動軸１０ａを中心として放射線状に仕切板１０ｂを有した形状としたが、この形状に限定されるものではない。
【００３９】
【発明の効果】
線材が何かの原因で断線した場合に、台座内部に設けてある定荷重付勢手段と、枢軸を下方に付勢する付勢手段と、第３滑車を支持する枢軸の上下方向を制限する支持枠に設けられたガイド溝と、上下方向の枢軸の動きをスライダの水平方向の移動に変える傾斜溝の作用によって、スライダに設けられた突出部が、定荷重付勢手段の中空部材の空間部に挿入され回転を強制的に確実に停止させることができる。そのため、従来の可動支柱のように側面に多数の孔を設けられる必要がないので支柱強度も維持でき、作業工程における加工数の減少もできる。
【図面の簡単な説明】
【図１】（ａ）  本発明の実施形態にかかる伸縮支柱を示した図で、（ａ）は側断面図、（ｂ）は正面断面図である。
【図２】  本発明の実施形態に係る伸縮支柱の台座内部を拡大した正面断面図である。
【図３】  第２可動支柱まで伸びた伸縮支柱の正面断面図である。
【図４】（ａ）  本発明の作用を示す模式図であり、第１ワイヤの断線前を示す。
（ｂ）  図４（ａ）のＡ−Ａ断面図である。
【図５】（ａ）  本発明の作用を示す模式図であり、第１ワイヤの断線後を示す。
（ｂ）  図５（ａ）のＢ−Ｂ断面図である。
【図６】  従来の伸縮支柱を示す一部破断した側面図である。
【符号の説明】
１・・・伸縮支柱
２・・・固定支柱
３・・・第１可動支柱
４・・・第２可動支柱
５・・・支持部材
６・・・補助支柱
７・・・結合板
８・・・カバー部
９・・・台座
１０・・・定荷重ばね
１０ａ・・・回動軸
１０ｂ・・・仕切板
１０ｃ・・・ドラム
１１・・・コイルばね
１２・・・支持枠
１２ａ・・・ガイド溝
１３・・・スライダ
１３ａ・・・傾斜溝
１３ｂ・・・突出部
１４・・・支軸
１５・・・長孔
Ｐ１・・・第１滑車
Ｐ２・・・第２滑車
Ｐ３・・・第３滑車
Ｐ４・・・第４滑車
Ｒ１・・・第１ワイヤ
Ｒ２・・・第２ワイヤ
Ｒ３・・・第３ワイヤ
Ｗ・・・ウィンチ
Ｗ１・・・ハンドル
Ｄ・・・ドラム（ウィンチ）
【図１】
0004213885.tif 000002
【図２】
0004213885.tif 000003
【図３】
0004213885.tif 000004
【図４】
0004213885.tif 000005
【図５】
0004213885.tif 000006
【図６】
0004213885.tif 000007